(57)【特許請求の範囲】
【請求項１】
水平片には、パネル下端面の全体が載置され、後部立ち上がり片が躯体に固定され、該後部立ち上がり片の上端がパネル裏面から垂直に突出する突出片となる下地鋼材としてのＺ型鋼材と、
立ち上がり部がパネル裏面に当接し、下側水平片がパネル裏面から垂直に突出する突出片となり、上側水平片が躯体に固定される下地鋼材としてのＣ型鋼材と、
前記パネル裏面とで前記突出片を挟持するく字状係止部を一端に有する取付金具と、を具備し、
前記パネル裏面の下側と上側とのそれぞれに前記取付金具の他端を螺着することで前記パネル裏面と前記く字状係止部とで前記突出片を挟持してパネルを前記Ｚ型鋼材及び前記Ｃ型鋼材を介して前記躯体に取り付けることを特徴とする外壁パネルの取付構造。
【請求項２】
下端部のパネルは、下側が基礎部に取り付けられたＬ型アングルと、該Ｌ型アングルに取り付けられた前記Ｚ型鋼材と、上側が梁の下側フランジに取り付けられた前記Ｃ型鋼材に、
中間部のパネルは、下側が梁の上側フランジに取り付けられたＬ型アングルと、該Ｌ型アングルに取り付けられた前記Ｚ型鋼材と、上側が梁の下側フランジに取り付けられた前記Ｃ型鋼材に、
上端部のパネルは、下側が梁の上側フランジに取り付けられたＬ型アングルと、該Ｌ型アングルに取り付けられた前記Ｚ型鋼材と、上側がパラペット側面に取り付けられたＬ型アングルと、該Ｌ型アングルに取り付けられた前記Ｃ型鋼材に、
それぞれ前記取付金具によって取り付けられたことを特徴とする請求項１記載の外壁パネルの取付構造。
【請求項３】
前記パネル下端面と、前記Ｚ型鋼材の前記水平片との間に、硬質パッキンが挟入されたことを特徴とする請求項１又は請求項２記載の外壁パネルの取付構造。
【請求項４】
水平部が前記パネル下端面と前記Ｚ型鋼材の前記水平片との間に挟入されるとともに、該水平部の前端に垂下部、該水平部の後端に起立部が折曲された断面Ｚ字状の水切りプレートを備えたことを特徴とする請求項１〜請求項３のいずれか１項記載の外壁パネルの取付構造。
【請求項５】
前記水切りプレートの前記垂下部の前面にバックアップ材が貼着され、該バックアップ材の上端が前記硬質パッキンの厚み分、前記水平部から上方へ突出したことを特徴とする請求項４記載の外壁パネルの取付構造。
【発明の詳細な説明】
【技術分野】
【０００１】
本発明は、押出成形セメント板やＡＬＣを用いた外壁パネルの取付構造に関し、特に、下地と金具を軽量化し、パネル取付時の溶接作業を不要にする改良技術に関するものである。
【背景技術】
【０００２】
押出成形セメント板や軽量気泡コンクリートを用いた外壁の場合、躯体に下地鋼材を取り付け、パネルに取り付けられたＺクリップを下地に係合させることによりパネルを取り付ける。例えば、押出成形セメント板を建築物の躯体に取り付ける場合、図９に示すように、梁１にピースアングル３を取り付け、このピースアングル３に通しアングル５を取り付け、押出成形セメント板７の四隅に取り付けられたＺクリップ９により通しアングル５を挟持する。そして上側のＺクリップ９を上側の通しアングル５に溶接していた。また、押出成形セメント板７の重量は、下側の通しアングル５によって受けられていた。なお、図中、１１は、開口補強鋼材を示す。
【０００３】
【特許文献１】特開２０００−８７４８３号公報
【特許文献２】実公平８−４４８６号公報
【特許文献３】実公平８−４４８７号公報
【発明の開示】
【発明が解決しようとする課題】
【０００４】
押出成形セメント板などのパネルを上記のＺクリップにより取り付けた場合、上側のＺクリップは、階層間変位により建物が変位した場合に回転して下地から外れる可能性がある。Ｚクリップが下地から外れた場合には、パネル脱落などの重大な事故につながる恐れがあるため、上側のＺクリップは、上側の通しアングルに溶接する必要があった。
そこで、特許文献１には、外壁パネルをＺクリップの代わりに、下地鋼材のリップ部に係合する取付金具を用いて回転を防止し、溶接を不要とする構造が記載されている。この取付構造では、パネルの下側がリップ部を有する鋼材（以下「Ｃ型鋼材」という）となっている。しかしながら、押出成形セメント板などの外壁パネルを取り付ける場合には、パネル取付金具のみでパネルの重量を受けるのではなく、重量受けをパネル下部側に設けてパネルの重量を受けている。このため、この構造では、Ｃ型鋼材に加え、パネルの重量を受ける支持板を別に取り付けなければならず、必要となる資材が多くなるため、施工性が低下し、コストアップとなることが避けられない。
また、特許文献２、特許文献３には、Ｚクリップの回転を防止する金具が記載されている。特許文献２では、Ｚクリップ本体に、Ｚクリップとほぼ同形状の穴空き平面部と、この穴空き平面部の一方から突出した挟持舌片を持つ補助部材を組み合わせて金具の回転を防止する留付金具が記載されている。特許文献３には、Ｚクリップの長さ方向に沿う一方の側縁から腕部材を突出させ、この腕部材の先端部を折り曲げて回転を防止する留付金具が記載されている。これら金具の場合には、溶接なしで回転を防止することができるものの、左右のＺクリップによって挟持舌片や腕部材の位置が変わるため、それぞれ２種類の金具を用意する必要がある。このため、金具がコストアップになっていた。
本発明は上記状況に鑑みてなされたもので、溶接を行わずに、少ない部材数でパネルを躯体へ取付けできる外壁パネルの取付構造を提供し、もって、施工性の向上、施工・部材コストの低減を図ることを目的とする。
【課題を解決するための手段】
【０００５】
上記目的を達成するための本発明に係る請求項１記載の外壁パネルの取付構造は、水平片には、パネル下端面の全体が載置され、後部立ち上がり片が躯体に固定され、該後部立ち上がり片の上端がパネル裏面から垂直に突出する突出片となる下地鋼材としてのＺ型鋼材と、
立ち上がり部がパネル裏面に当接し、下側水平片がパネル裏面から垂直に突出する突出片となり、上側水平片が躯体に固定される下地鋼材としてのＣ型鋼材と、
前記パネル裏面とで前記突出片を挟持するく字状係止部を一端に有する取付金具と、を具備し、
前記パネル裏面の下側と上側とのそれぞれに前記取付金具の他端を螺着することで前記パネル裏面と前記く字状係止部とで前記突出片を挟持してパネルを前記Ｚ型鋼材及び前記Ｃ型鋼材を介して前記躯体に取り付けることを特徴とするものである。
【０００６】
この外壁パネルの取付構造では、Ｚ型鋼材を用いることにより、従来のＬ型アングルを用いる場合に比べて鋼材の厚みを薄くすることができる。したがって下地の軽量化ができるとともに、重量受けが一体になっていることから下地金具の数量を低減できる。これに加え、取付金具の溶接も不要となるので、施工の効率化とコスト低減とが可能となる。
【０００７】
請求項２記載の外壁パネルの取付構造は、下端部のパネルは、下側が基礎部に取り付けられたＬ型アングルと、該Ｌ型アングルに取り付けられた前記Ｚ型鋼材と、上側が梁の下側フランジに取り付けられた前記Ｃ型鋼材に、
中間部のパネルは、下側が梁の上側フランジに取り付けられたＬ型アングルと、該Ｌ型アングルに取り付けられた前記Ｚ型鋼材と、上側が梁の下側フランジに取り付けられた前記Ｃ型鋼材に、
上端部のパネルは、下側が梁の上側フランジに取り付けられたＬ型アングルと、該Ｌ型アングルに取り付けられた前記Ｚ型鋼材と、上側がパラペット側面に取り付けられたＬ型アングルと、該Ｌ型アングルに取り付けられた前記Ｃ型鋼材に、
それぞれ前記取付金具によって取り付けられたことを特徴とする。
【０００８】
この外壁パネルの取付構造では、下端部のパネルと、中間部のパネルと、上端部のパネルとのそれぞれが、Ｚ型鋼材、Ｃ型鋼材及び取付金具によって躯体へ取り付けられ、中間部のパネルが任意の数で取り付けられることにより、躯体外壁の任意の高さ方向が、軽量かつ少ない下地で、溶接を不要にして、低コストで効率的に施工可能となる。
【０００９】
請求項３記載の外壁パネルの取付構造は、前記パネル下端面と、前記Ｚ型鋼材の前記水平片との間に、硬質パッキンが挟入されたことを特徴とする。
【００１０】
この外壁パネルの取付構造では、硬質パッキンが挟入されることでＺ型鋼材とパネル下端面との間に間隙が形成され、この間隙によって、Ｚ型鋼材の水平片と立ち上がり部との間のＲが干渉しなくなり、Ｚ型鋼材の立ち上がり部がパネル裏面に密着可能となる。
【００１１】
請求項４記載の外壁パネルの取付構造は、水平部が前記パネル下端面と前記Ｚ型鋼材の前記水平片との間に挟入されるとともに、該水平部の前端に垂下部、該水平部の後端に起立部が折曲された断面Ｚ字状の水切りプレートを備えたことを特徴とする。
【００１２】
この外壁パネルの取付構造では、上下方向に延在するパネル中空部に、外部から雨水が浸入した場合であっても、横目地に設けられた水切りプレートの水平部によって、屋内側への漏水が阻止される。すなわち、水平部へ落下した雨水は、起立部によって屋内側への浸入が阻止され、垂下部に導かれて下端部のパネル中空部へと排水される。
【００１３】
請求項５記載の外壁パネルの取付構造は、前記水切りプレートの前記垂下部の前面にバックアップ材が貼着され、該バックアップ材の上端が前記硬質パッキンの厚み分、前記水平部から上方へ突出したことを特徴とする。
【００１４】
この外壁パネルの取付構造では、バックアップ材の上端が硬質パッキンの厚み分、水平部から上方へ突出することで、硬質パッキンに下端が載置されたパネルと、Ｚ型鋼材の水平片との間隙がバックアップ材によって確実に塞がれる。これにより、横目地において高品質なシーリング施工が可能となる。
【発明の効果】
【００１５】
本発明に係る外壁パネルの取付構造によれば、パネル裏面の下側と上側とのそれぞれに取付金具を螺着することでパネル裏面とく字状係止部とで突出片を挟持してパネルを、Ｚ型鋼材及びＣ型鋼材を介して躯体に取り付けるので、従来のＬ型アングルを用いる場合に比べて鋼材の厚みを薄くすることができる。したがって、リブにより補強されるく字状係止部を備えた取付金具による金具の軽量化と、下地鋼材であるＺ型鋼材、Ｃ型鋼材との組み合わせによる軽量化により、外壁構造全体としてコスト低減を図ることが可能となる。また、Ｚ型鋼材、Ｃ型鋼材は、重量受けと取付金具用の係止部（突出片）とが一体になっているので、下地金具の数量を低減することができる。さらに、取付金具の溶接が不要となるので、施工の効率化と施工コストの低減が可能となる。
【発明を実施するための最良の形態】
【００１６】
以下、本発明に係る外壁パネルの取付構造の好適な実施の形態を図面を参照して説明する。
図１は本発明に係る取付構造による下端部のパネルと基礎部との縦断面図、図２は本発明に係る取付構造による横目地部の縦断面図、図３は図２の横断面図、図４は本発明に係る取付構造による上端部のパネルの縦断面図である。
本実施の形態による外壁パネルの取付構造は、Ｚ型鋼材２１と、Ｃ型鋼材２３と、取付金具２５とを主要な構成部材として有する。
【００１７】
Ｚ型鋼材２１は、図１に示すように、水平片２１ａが押出成形セメント板（以下単に「パネル」という）２７の下端面２７ａを載置し、後部立ち上がり片２１ｂが躯体に固定され、後部立ち上がり片２１ｂの上端がパネル裏面２７ｂから垂直に突出する突出片２１ｃとなる。
【００１８】
Ｃ型鋼材２３は、図２に示すように、立ち上がり部２３ａがパネル裏面２７ｂに当接し、下側水平片がパネル裏面２７ｂから垂直に突出する突出片２３ｂとなり、上側水平片２３ｃが躯体に固定される。なお、このＣ型鋼材２３は、使用位置によって、上側水平片２３ｃが下側となる姿勢でも取付けられる。
【００１９】
取付金具２５は、パネル裏面２７ｂとで突出片２１ｃ、突出片２３ｂを挟持するく字状係止部２５ａを一端に有する。取付金具２５は、図３に示すように、く字状係止部２５ａに補強リブ２５ｂが設けられることで、金具の軽量化が図られている。取付金具２５は、パネル裏面２７ｂから中空部２７ｃに貫通する穴があけられ、中空部２７ｃに挿入されたナット２９と裏面側からボルト３１により取り付けられる。
【００２０】
パネル２７の取り付け時には、取付金具２５を仮止め状態にしておき、パネル２７の取り付け位置で取付金具２５のく字状係止部２５ａをＺ型鋼材２１の突出片２１ｃ、或るいはＣ型鋼材２３の突出片２３ｂに引っかけ、ボルト３１を締め付けることにより取り付ける。
【００２１】
Ｚ型鋼材２１のパネル受け部分のコーナーは、Ｒが付いている。このため、Ｚ型鋼材２１の後部立ち上がり片２１ｂにパネル２７を密着させるために、パネル下端面２７ａに硬質パッキング３３を置き、その上にパネル２７が載る構造としても良い。このようにして硬質パッキング３３が挟入されることで、Ｚ型鋼材２１とパネル下端面２７ａとの間に間隙が形成され、この間隙によって、Ｚ型鋼材２１のＲが干渉しなくなり、Ｚ型鋼材２１の後部立ち上がり片２１ｂがパネル裏面２７ｂに密着可能となる。
【００２２】
本実施の形態による外壁パネルの取付構造では、パネル裏面２７ｂの下側と上側とのそれぞれに取付金具２５の他端を螺着することで、パネル裏面２７ｂと、く字状係止部２５ａとで突出片２１ｃ、突出片２３ｂを挟持して、パネル２７をＺ型鋼材２１及びＣ型鋼材２３を介して躯体に取り付けるようになっている。下地に取り付けられたパネル２７は、目地部にパッキング材やバックアップ材３５が挿入され、さらにその表面にシーリング材３７が充填される。
【００２３】
次に、上記の取付構造によって取り付けられる下端部のパネル、中間部のパネル、上端部のパネルについて説明する。
図１に示すように、下端部のパネル２７は、下側が基礎部４１に取り付けられたＬ型アングル４３にＺ型鋼材２１が取り付けられ、上側は図２示す梁４５の下側フランジ４５ａにＣ型鋼材２３が取り付けられ、それぞれの下地（Ｚ型鋼材２１、Ｃ型鋼材２３）に取付金具２５によって取り付けられている。
【００２４】
図２に示すように、中間部のパネル２７は、下側が梁４５の上側フランジ４５ｂに取り付けられたＬ型アングル４７にＺ型鋼材２１が取り付けられ、上側は梁４５の下側フランジ４５ａにＣ型鋼材２３が取り付けられ、それぞれの下地（Ｚ型鋼材２１、Ｃ型鋼材２３）に取付金具２５によって取り付けられている。
【００２５】
上端部のパネル２７は、下側が梁４５の上側フランジ４５ｂに取り付けられたＬ型アングル４７にＺ型鋼材２１が取り付けられ、上側が図４に示すパラペット４９の側面に取り付けられたＬ型アングル５１にＣ型鋼材２３が取り付けられ、それぞれの下地（Ｚ型鋼材２１、Ｃ型鋼材２３）に取付金具２５によって取り付けられている。
【００２６】
このように、下端部のパネル２７、中間部のパネル２７、上端部のパネル２７のそれぞれが、Ｚ型鋼材２１、Ｃ型鋼材２３及び取付金具２５によって躯体へ取り付けられ、中間部のパネル２７が任意の数で取り付けられることにより、躯体外壁の任意の高さ方向が、軽量かつ少ない下地で、溶接を不要にして、低コストで効率的に施工可能となる。
【００２７】
外壁パネルの取付構造では、Ｚ型鋼材２１を用いることにより、従来のＬ型アングルを用いる場合に比べて鋼材の厚みを薄くすることができる。したがって下地の軽量化ができるとともに、重量受けが一体になっていることから下地金具の数量を低減できる。これに加え、取付金具２５の溶接も不要となるので、施工の効率化とコスト低減とが可能となる。
【００２８】
次に、上記した取付構造の防水性を強化した変形例について説明する。
図５は本発明に係る取付構造の防水強化仕様による下端部のパネルと基礎部との縦断面図、図６は本発明に係る取付構造の防水強化仕様による横目地部の縦断面図、図７は図６の横断面図、図８は水切りプレートの断面図である。
上記の外壁パネルの取付構造は、目地部の水密性を高めるため、縦目地には図５，図７に示すガスケット５１を、横目地部には図６に示す水切りプレート５３を入れることが好ましい。
【００２９】
図８に示すように、水切りプレート５３は、水平部５３ａがパネル下端面２７ａとＺ型鋼材２１の水平片２１ａとの間に挟入されるとともに、水平部５３ａの前端に垂下部５３ｂ、水平部５３ａの後端に起立部５３ｃが折曲された断面Ｚ字状に形成される。
【００３０】
このような水切りプレート５３を入れることにより、上下方向に延在するパネル中空部２７ｃに、外部から雨水が浸入した場合であっても、横目地に設けられた水切りプレート５３の水平部５３ａによって、屋内側への漏水が阻止される。すなわち、水平部５３ａへ落下した雨水は、起立部５３ｃによって屋内側への浸入が阻止され、垂下部５３ｂに導かれて下端部のパネル中空部２７ｃへと排水される。中空部２７ｃへ排水された浸入水は、下端部のパネル２７の下端面２７ａに開口する図５に示す水抜きパイプ５５によって、外部へと排水される。
【００３１】
また、水切りプレート５３は、Ｚ型鋼材２１の水平片２１ａに置かれ、その上に硬質パッキング３３が置かれる。このため、図８に示すように、水切りプレート５３のバックアップ材３５が目地部の位置と合致するよう、硬質パッキング３３の厚み分だけ上に飛び出すように取り付けられている。このように、バックアップ材３５の上端が硬質パッキング３３の厚み分、水平片２１ａから上方へ突出することで、硬質パッキング３３に下端面２７ａが載置されたパネル２７と、Ｚ型鋼材２１の水平片２１ａとの間隙がバックアップ材３５によって確実に塞がれる。これにより、横目地において高品質なシーリング施工が可能となる。
【００３２】
したがって、この外壁パネルの取付構造によれば、パネル裏面２７ｂの下側と上側とのそれぞれに取付金具２５を螺着することでパネル裏面２７ｂとく字状係止部２５ａとで突出片２１ｃ、突出片２３ｂを挟持してパネル２７を、Ｚ型鋼材２１及びＣ型鋼材２３を介して躯体に取り付けるので、従来のＬ型アングルを用いる場合に比べて鋼材の厚みを薄くすることができる。したがって、補強リブ２５ｂにより補強されるく字状係止部２５ａを備えた取付金具２５による金具の軽量化と、下地鋼材であるＺ型鋼材２１、Ｃ型鋼材２３との組み合わせによる軽量化により、外壁構造全体としてコスト低減を図ることが可能となる。また、Ｚ型鋼材２１、Ｃ型鋼材２３は、重量受けと取付金具２５用の係止部（突出片２１ｃ、突出片２３ｂ）とが一体になっているので、下地金具の数量を低減することができる。さらに、取付金具２５の溶接が不要となるので、施工の効率化と施工コストの低減が可能となる。
【図面の簡単な説明】
【００３３】
【図１】本発明に係る取付構造による下端部のパネルと基礎部との縦断面図である。
【図２】本発明に係る取付構造による横目地部の縦断面図である。
【図３】図２の横断面図である。
【図４】本発明に係る取付構造による上端部のパネルの縦断面図である。
【図５】本発明に係る取付構造の防水強化仕様による下端部のパネルと基礎部との縦断面図である。
【図６】本発明に係る取付構造の防水強化仕様による横目地部の縦断面図である。
【図７】図６の横断面図である。
【図８】水切りプレートの断面図である。
【図９】従来の外壁パネルの取付構造の斜視図である。
【符号の説明】
【００３４】
２１…Ｚ型鋼材、２１ａ…水平片、２１ｂ…後部立ち上がり片、２１ｃ,２３ｂ…突出片、２３…Ｃ型鋼材、２３ａ…立ち上がり部、２３ｃ…上側水平片、２５…取付金具、２５ａ…く字状係止部、２７…パネル、２７ａ…パネル下端面、２７ｂ…パネル裏面、３３…硬質パッキン、３５…バックアップ材、４１…基礎部、４３，４７，５１…Ｌ型アングル、４５…梁、４５ａ…下側フランジ、４５ｂ…上側フランジ、４９…パラペット、５３…水切りプレート、５３ａ…水平部、５３ｂ…垂下部、５３ｃ…起立部
【図１】
0004554558.tif 000002
【図２】
0004554558.tif 000003
【図３】
0004554558.tif 000004
【図４】
0004554558.tif 000005
【図５】
0004554558.tif 000006
【図６】
0004554558.tif 000007
【図７】
0004554558.tif 000008
【図８】
0004554558.tif 000009
【図９】
0004554558.tif 000010